(57)【要約】【課題】被写体と歯科用画像記録媒体との対応関係を容易に把握し、放射線画像情報の記録処理及び読取処理を正確且つ円滑に行う。【解決手段】情報登録装置１２で設定した患者情報及び撮影情報に従い、蓄積性蛍光体パネルＩＰを封入した歯科用画像記録媒体包装体１６の表面に視認読み取り可能な文字情報１５を印字し、この文字情報１５を参考にして、部分画像撮影装置２０による放射線画像情報の撮影、画像読取装置２２による読取処理を行う。【選択図】図１
2008033078.tif 000002
【特許請求の範囲】
【請求項１】
被写体の歯の放射線画像情報が記録される歯科用画像記録媒体が保護ケースに封入されてなる歯科用画像記録媒体包装体において、
前記保護ケースの表面に、前記放射線画像情報に係る被写体情報、撮影情報等の付帯情報が、視認読み取り可能な文字情報として印字されることを特徴とする歯科用画像記録媒体包装体。
【請求項２】
請求項１記載の歯科用画像記録媒体包装体において、
前記歯科用画像記録媒体は、蓄積性蛍光体パネルであることを特徴とする歯科用画像記録媒体包装体。
【請求項３】
保護ケースを介して被写体の歯の放射線画像情報が記録される歯科用画像記録媒体が供給され、前記歯科用画像記録媒体が封入される前記保護ケースの表面に、前記放射線画像情報に係る被写体情報、撮影部位情報等の付帯情報を、視認読み取り可能な文字情報として印字する印字ヘッドを備えることを特徴とする歯科用画像記録媒体包装体の情報印字装置。
【請求項４】
請求項３記載の情報印字装置において、
前記付帯情報を設定する情報設定部が接続され、前記情報設定部により設定された前記付帯情報が前記印字ヘッドに供給されることを特徴とする歯科用画像記録媒体包装体の情報印字装置。
【請求項５】
請求項３記載の情報印字装置において、
前記歯科用画像記録媒体を前記保護ケースに封入する封入部を備えることを特徴とする歯科用画像記録媒体包装体の情報印字装置。
【請求項６】
請求項３記載の情報印字装置において、
前記歯科用画像記録媒体に記録された前記放射線画像情報を読み取る読取装置が接続され、前記読取装置には、前記放射線画像情報に係る前記付帯情報が供給されることを特徴とする歯科用画像記録媒体包装体の情報印字装置。
【請求項７】
請求項３記載の情報印字装置において、
前記歯科用画像記録媒体は、蓄積性蛍光体パネルであることを特徴とする歯科用画像記録媒体包装体の情報印字装置。
【発明の詳細な説明】
【技術分野】
【０００１】
本発明は、歯の放射線画像情報が記録される歯科用画像記録媒体が保護ケースに封入されてなる歯科用画像記録媒体包装体及び情報印字装置に関する。
【背景技術】
【０００２】
例えば、歯の治療を行う場合、歯の部分画像を撮影し、得られた画像を読影して歯の状態を把握し、必要に応じて治療方針等を決定することが行われる。歯の部分画像の撮影方法としては、上下の歯を１０の領域又は１４の領域に分割して撮影する「１０枚法」又は「１４枚法」と称される撮影方法が知られている。
【０００３】
このような撮影に供せられる歯科用画像記録媒体として、Ｘ線フイルムや蓄積性蛍光体パネルが利用されている。歯科用画像記録媒体は、患者の口腔内に挿入されることから、撮影後の歯科用画像記録媒体を現像装置又は読取装置に供給した際、装置側に唾液等が付着するような事態を回避するため、歯科用画像記録媒体を保護ケースに封入した状態で撮影を行い、その後、保護ケースから歯科用画像記録媒体を取り出して現像装置又は読取装置に供給するようにしている（特許文献１参照）。
【０００４】
ところで、歯科用画像記録媒体は、それに記録されている放射線画像情報と、当該放射線画像情報に係る患者を特定するための患者情報、撮影部位や撮影方向を示す撮影情報等の付帯情報との関係が正確に管理されていなければならない。
【０００５】
そこで、例えば、画像記録媒体である蓄積性蛍光体パネルを収納する保護ケースに蓄積性蛍光体パネルを特定するバーコードを設け、放射線画像情報の撮影に先だってバーコードを読み取り、そのバーコード情報に患者情報等を関連させて記憶させた後、放射線画像情報の撮影を行い、次いで、蓄積性蛍光体パネルから放射線画像情報を読み取る際に再度バーコードを読み取り、得られたバーコード情報を介して患者情報等と放射線画像情報とを関連付けるようにしたシステムが知られている（特許文献２参照）。
【０００６】
【特許文献１】特許第３１６２０７４号公報
【特許文献２】特開２００５−２７５３１０号公報
【発明の開示】
【発明が解決しようとする課題】
【０００７】
この場合、特許文献２に開示された従来技術は、例えば、胸部撮影を行うような比較的大型な蓄積性蛍光体パネルを対象としているため、この蓄積性蛍光体パネルを収納する保護ケースの任意の部位にバーコードを配設し、そのバーコード情報をバーコードリーダを用いて容易に読み取ることができる。
【０００８】
これに対して、歯科用画像記録媒体は、撮影対象が歯の一部分であるためにサイズが小さく、バーコードを配設するスペースを十分に確保することができないだけでなく、たとえバーコードを配設できたとしても、小さな歯科用画像記録媒体のバーコードをバーコードリーダで読み取る作業は非常に困難である。また、バーコードは、視認するだけで直ちに情報の内容を把握することができないため、例えば、歯の撮影部位と歯科用画像記録媒体との対応関係を間違えてしまうおそれがある。
【０００９】
本発明の目的は、被写体と歯科用画像記録媒体との対応関係を容易に把握し、放射線画像情報の記録処理及び読取処理を正確且つ円滑に行うことのできる歯科用画像記録媒体包装体及び情報印字装置を提供することにある。
【課題を解決するための手段】
【００１０】
本発明の歯科用画像記録媒体包装体は、被写体の歯の放射線画像情報が記録される歯科用画像記録媒体が保護ケースに封入されてなる歯科用画像記録媒体包装体において、
前記保護ケースの表面に、前記放射線画像情報に係る被写体情報、撮影情報等の付帯情報が、視認読み取り可能な文字情報として印字されることを特徴とする。
【００１１】
また、本発明の情報印字装置は、保護ケースを介して被写体の歯の放射線画像情報が記録される歯科用画像記録媒体が供給され、前記歯科用画像記録媒体が封入される前記保護ケースの表面に、前記放射線画像情報に係る被写体情報、撮影部位情報等の付帯情報を、視認読み取り可能な文字情報として印字する印字ヘッドを備えることを特徴とする。
【発明の効果】
【００１２】
本発明の歯科用画像記録媒体包装体及び情報印字装置では、歯科用画像記録媒体が封入される保護ケースの表面に、被写体情報、撮影情報等の付帯情報を視認読み取り可能な文字情報として印字することにより、被写体と歯科用画像記録媒体との対応関係を容易に把握することができる。そして、取得した付帯情報に従い、歯科用画像記録媒体に適切な放射線画像情報を記録できるとともに、歯科用画像記録媒体より読み取った放射線画像情報を対応した付帯情報に関連させて処理することができる。
【発明を実施するための最良の形態】
【００１３】
図１は、本発明の歯科用画像記録媒体包装体及び情報印字装置が適用される放射線画像情報処理システム１０の構成を示す。放射線画像情報処理システム１０は、被写体である患者の氏名、年齢、性別等の患者情報、及び、撮影部位、撮影方向、撮影日時等の撮影情報を含む付帯情報を登録する情報登録装置１２と、放射線画像情報が記録される蓄積性蛍光体パネルＩＰを保護カバー１４ａ、１４ｂ間に封入し（図２）、保護カバー１４ａの表面に前記付帯情報を視認且つ読み取り可能な文字情報１５として印字した歯科用画像記録媒体包装体１６（図３）を出力する情報印字装置１８と、歯科用画像記録媒体包装体１６を用いて患者の歯の部分画像を撮影する部分画像撮影装置２０と、歯科用画像記録媒体包装体１６の蓄積性蛍光体パネルＩＰに撮影された部分画像に係る放射線画像情報を読み取る画像読取装置２２とを備える。
【００１４】
部分画像撮影装置２０は、基台２４に固定された支柱２６の上端部に自在アーム２８の一端部が連結され、自在アーム２８の他端部に放射線源を収納した撮影ヘッド３０が連結されて構成される。この部分画像撮影装置２０では、蓄積性蛍光体パネルＩＰに対して、被写体の歯の部分画像が記録される。
【００１５】
ここで、蓄積性蛍光体パネルＩＰは、部分画像の範囲に応じたサイズで構成され、指等により撮影部位に保持されるもので、照射された放射線のエネルギを蓄積する蓄積性蛍光体層を支持体上に形成し、励起光を照射することにより蓄積されたエネルギに応じた輝尽発光光を出力する一方、所定光量の消去光を照射することにより残存するエネルギを除去して再使用できるものである。また、蓄積性蛍光体パネルＩＰを封入する保護カバー１４ａ、１４ｂは、可視光を遮断するとともに防水性を有し、撮影のための放射線を透過させる材料から形成される。
【００１６】
図４は、情報登録装置１２、情報印字装置１８及び画像読取装置２２の要部の処理機能ブロック図である。
【００１７】
情報登録装置１２は、患者の氏名、年齢、性別等の患者情報、及び、撮影部位、撮影方向、撮影日時等の撮影情報である付帯情報を設定する情報設定部３２と、設定した付帯情報を画面に表示する表示部３４と、設定した付帯情報を記憶する情報記憶部３６と、付帯情報を情報印字装置１８及び画像読取装置２２に送信するインターフェース（Ｉ／Ｆ）３８とを備える。
【００１８】
情報印字装置１８は、情報登録装置１２から付帯情報を受信するＩ／Ｆ４０と、蓄積性蛍光体パネルＩＰを保護カバー１４ａ、１４ｂ間に封入する封入部４２と、封入部４２を制御する封入制御部４４と、一方の保護カバー１４ａの表面に付帯情報を文字情報１５として印字する印字ヘッド４６と、印字ヘッド４６を制御する印字制御部４８とを備える。なお、文字情報１５の印字に使用される塗料としては、放射線の透過率の高い、例えば、ウレタン系塗料が好適である。
【００１９】
画像読取装置２２は、情報登録装置１２又は情報印字装置１８から付帯情報を受信するＩ／Ｆ５０と、受信した付帯情報を表示して選択する表示選択部５２と、装填された蓄積性蛍光体パネルＩＰに記録されている放射線画像情報を読み取る読取部５４と、読取部５４を制御する読取制御部５６と、蓄積性蛍光体パネルＩＰから読み取られた放射線画像情報を表示選択部５２で選択した付帯情報に関連させ、付帯情報とともに記憶する画像情報記憶部５８と、放射線画像情報の読み取られた蓄積性蛍光体パネルＩＰに残存する放射線画像情報を消去する消去部６０と、消去部６０を制御する消去制御部６２とを備える。
【００２０】
本実施形態の放射線画像情報処理システム１０は、基本的には以上のように構成されるものであり、次に、その動作並びに作用効果について、図５に示すフローチャートに従って説明する。
【００２１】
部分画像撮影装置２０による歯の放射線画像情報の撮影に先立ち、情報登録装置１２の情報設定部３２において、患者の氏名、年齢、性別等の患者情報と、撮影部位、撮影方向、撮影日時等の撮影情報を設定し（ステップＳ１）、これらの患者の付帯情報を表示部３４に表示させて確認した後、情報記憶部３６に記憶させる（ステップＳ２）。情報記憶部３６に記憶された付帯情報は、Ｉ／Ｆ３８を介して情報印字装置１８及び画像読取装置２２に送信される（ステップＳ３）。
【００２２】
一方、情報印字装置１８には、放射線画像情報が記録されていない蓄積性蛍光体パネルＩＰが装填され（ステップＳ４）、封入制御部４４の制御下に封入部４２によって蓄積性蛍光体パネルＩＰが保護カバー１４ａ、１４ｂ間に封入される（ステップＳ５）。
【００２３】
次いで、印字制御部４８は、Ｉ／Ｆ４０を介して情報登録装置１２から受信した付帯情報に従い、蓄積性蛍光体パネルＩＰを封入した一方の保護カバー１４ａ上に文字情報１５を印字する（ステップＳ６）。図３は、保護カバー１４ａ上に印字された文字情報１５の例を示す。この場合、視認且つ読み取り可能な文字情報１５として、撮影日時（２００６．１．１）及び撮影部位（ＴＰ−５）の撮影情報が印字されるとともに、患者の氏名（山田花子）の患者情報が印字されている。
【００２４】
情報印字装置１８は、保護カバー１４ａ上に文字情報１５を印字した撮影に必要な所望の枚数からなる歯科用画像記録媒体包装体１６を排出する（ステップＳ７）。
【００２５】
次に、技師は、情報印字装置１８から排出された歯科用画像記録媒体包装体１６に印字されている文字情報１５の内容を目視で確認した後、部分画像撮影装置２０を用いて、文字情報１５に従った所望の歯の部分画像を撮影する（ステップＳ８）。この場合、歯科用画像記録媒体包装体１６には、患者の氏名、撮影部位を表す情報が文字情報１５として記録されているため、蓄積性蛍光体パネルＩＰに所定の放射線画像情報を間違えなく撮影することができる。
【００２６】
放射線画像情報の撮影が完了した後、画像読取装置２２を用いた読取処理が行われる。この場合、画像読取装置２２の表示選択部５２には、情報登録装置１２又は情報印字装置１８から送信された患者情報及び撮影情報を含む付帯情報が表示される。
【００２７】
技師は、撮影の完了した歯科用画像記録媒体包装体１６の表面に印字されている文字情報１５の内容を確認し（ステップＳ９）、その内容に対応する患者情報及び撮影情報を選択する（ステップＳ１０）。次いで、歯科用画像記録媒体包装体１６の保護カバー１４ａ、１４ｂを除去し、内部の蓄積性蛍光体パネルＩＰを画像読取装置２２に装填する（ステップＳ１１）。
【００２８】
画像読取装置２２に装填された蓄積性蛍光体パネルＩＰは、読取制御部５６の制御下に読取部５４によって放射線画像情報が読み取られる（ステップＳ１２）。すなわち、蓄積性蛍光体パネルＩＰは、励起光が照射されることで輝尽発光光を放出し、この輝尽発光光をフォトマルチプライア等によって光電変換することで放射線画像情報が得られる。
【００２９】
蓄積性蛍光体パネルＩＰから読み取られた放射線画像情報は、ステップＳ１０で選択した付帯情報である患者情報及び撮影情報とともに画像情報記憶部５８に記憶される（ステップＳ１３）。これらの情報が画像情報記憶部５８に記憶された後、消去制御部６２に制御下に消去部６０によって蓄積性蛍光体パネルＩＰに残存する放射線画像情報が消去される（ステップＳ１４）。
【００３０】
なお、放射線画像情報の消去された蓄積性蛍光体パネルＩＰは、再び情報印字装置１８に供給され、次の放射線画像情報を記録するための歯科用画像記録媒体包装体１６が製造される。
【図面の簡単な説明】
【００３１】
【図１】本実施形態の放射線画像情報処理システムの構成図である。
【図２】図１に示す部分画像撮影装置に提供される歯科用画像記録媒体包装体の断面構成図である。
【図３】図２に示す歯科用画像記録媒体包装体の平面図である。
【図４】図１に示す放射線画像情報処理システムを構成する情報登録装置、情報印字装置及び画像読取装置の要部の処理機能ブロック図である。
【図５】本実施形態の放射線画像情報処理システムの処理フローチャートである。
【符号の説明】
【００３２】
１０…放射線画像情報処理システム  １２…情報登録装置
１４ａ、１４ｂ…保護カバー        １５…文字情報
１６…歯科用画像記録媒体包装体    １８…情報印字装置
２０…部分画像撮影装置            ２２…画像読取装置
３２…情報設定部                  ４２…封入部
４６…印字ヘッド                  ５２…表示選択部
５４…読取部                      ６０…消去部
ＩＰ…蓄積性蛍光体パネル
【図１】
2008033078.tif 000003
【図２】
2008033078.tif 000004
【図３】
2008033078.tif 000005
【図４】
2008033078.tif 000006
【図５】
2008033078.tif 000007